(57)【要約】【課題】潤滑油の量り売りに適した潤滑油販売システムを提供する。【解決手段】潤滑油販売システム１は、複数種類の潤滑油が貯留された複数のタンク３が搭載された運搬車両２に搭載された販売ユニット１０と、メインサーバ２０を含む。販売ユニット１０は、複数のタンク３のいずれか一つに着脱可能に接続され、タンク３の潤滑油を吐出させる吐出機構５１と、タンク３からタンク識別情報を取得するタンク識別部５２と、潤滑油の吐出量を計量する計量部５３と、制御部５４を有する。制御部５４は、吐出機構５１に接続されているタンク３のタンク識別情報と潤滑油の吐出量をメインサーバ２０へ送信するように構成されている。【選択図】図３
2020126386.tif 000002
【特許請求の範囲】
【請求項１】
複数種類の潤滑油が貯留された複数のタンクが搭載された運搬車両に搭載された販売ユニットと、前記販売ユニットと通信可能に接続されたメインサーバを含む潤滑油販売システムであって、
前記販売ユニットは、
複数の前記タンクのいずれか一つに着脱可能に接続され、前記タンクの潤滑油を吐出させる吐出機構と、
前記タンクからタンク識別情報を取得するタンク識別部と、
潤滑油の吐出量を計量する計量部と、
ネットワークを介して前記メインサーバに通信可能な制御部を有し、
前記制御部は、前記吐出機構に接続されている前記タンクの前記タンク識別情報と潤滑油の吐出量を前記メインサーバへ送信するように構成されている、潤滑油販売システム。
【請求項２】
前記販売ユニットは、少なくとも潤滑油の吐出量を印刷する印刷部を備え、
前記メインサーバは、複数の前記タンクと、各々の前記タンクに貯留されている潤滑油の油種と単価とを対応付けて記録しており、
前記制御部は、前記タンク識別情報を前記メインサーバへ送信し、前記メインサーバより前記タンク識別情報が示す前記タンクが貯留している潤滑油の単価を取得し、
前記印刷部は、前記吐出量と前記単価に基づいて算出された請求額を印刷する、
請求項１に記載の潤滑油販売システム。
【請求項３】
前記メインサーバは、複数の前記タンクと、各々の前記タンクに貯留されている潤滑油の油種とを対応付けて記録しており、
前記販売ユニットは、前記タンク識別情報を前記メインサーバへ送信し、前記メインサーバより前記タンク識別情報が示す前記タンクが貯留している潤滑油の油種を示すタンク油種識別情報を取得し、
前記制御部は、顧客の要求する潤滑油の油種を示す顧客油種識別情報を取得し、前記顧客油種識別情報と前記タンク油種識別情報とを照合して両者が合致したときに前記吐出機構に潤滑油を吐出させるように構成されている、請求項１に記載の潤滑油販売システム。
【請求項４】
潤滑油の吐出を、課金モードで行わせるか、あるいは、非課金モードで行わせるかを切替可能な切替部を有し、
前記制御部は、前記課金モードにおける吐出量と、前記非課金モードにおける吐出量とを識別可能に、前記メインサーバに送信する、請求項１に記載の潤滑油販売システム。
【請求項５】
前記タンク識別部は、
前記タンクから貯留されている潤滑油の油種を示すタンク油種識別情報を取得し、
前記制御部は、顧客の要求する潤滑油の油種を示す顧客油種識別情報を取得し、前記顧客油種識別情報と前記タンク油種識別情報とを照合して両者が合致したときに前記吐出機構に潤滑油を吐出させる、請求項４に記載の潤滑油販売システム。
【請求項６】
前記販売ユニットは、前記吐出機構が前記タンクから吸い上げが不可能になったことを検出して限界信号を前記制御部へ送信する限界検出部を有し、
前記制御部は、前記限界信号を取得すると、前記限界信号を取得するまでの総吐出量を前記メインサーバへ送信し、
前記メインサーバは、前記タンクの満容量から前記総吐出量を減じて吸い上げ限界量を算出し、前記非課金モードで供給された供給量と前記吸い上げ限界量との合計を課金不可能な量として記録し、前記課金モードで供給された供給量を課金可能な量として記録する、請求項４に記載の潤滑油販売システム。
【請求項７】
前記タンク識別部は、前記タンクの満容量を取得し、
前記販売ユニットは、前記吐出機構が前記タンクから吸い上げが不可能になったことを検出して限界信号を前記制御部へ送信する限界検出部を有し、
前記制御部は、前記タンクの満容量から前記限界信号を取得するまでの総吐出量を減じて算出される吸い上げ限界量を前記メインサーバへ送信し、
前記メインサーバは、前記非課金モードで供給された供給量と前記吸い上げ限界量との合計を課金不可能な量として記録し、前記課金モードで供給された供給量を課金可能な量として記録する、請求項４に記載の潤滑油販売システム。
【発明の詳細な説明】
【技術分野】
【０００１】
本発明は、潤滑油販売システムに関する。
【背景技術】
【０００２】
カーディーラーや車両整備工場などでは多種類のエンジンオイルやギヤオイルを取り扱っている。車両の種類に応じて適したエンジンオイルやギヤオイルが異なったり、あるいは、ユーザの好みに応じてエンジンオイルやギヤオイルに多様なグレードが設定されている。
また、旋盤やプレス機など各種工作機械にも、多様な種類の機械油が用いられている。
本明細書では、車両や工作機械などの機械類を良好に使用するために用いられるオイルを、潤滑油と総称することとする。
ところで、現在カーディーラー、車両整備工場、工場などでは、このような潤滑油をドラム缶単位で購入している。潤滑油の販売業者は、ドラム缶単位でこれらカーディーラー、車両整備工場、工場などへ潤滑油を納入している（特許文献１）。
【先行技術文献】
【特許文献】
【０００３】
【特許文献１】特開平１０−２６５０５５号公報
【発明の概要】
【発明が解決しようとする課題】
【０００４】
本発明者は、この潤滑油を量り売りすることを考えた。
潤滑油は上述したように多様な種類があり、種類の異なる潤滑油がそれぞれ異なるタンクに貯留されている。これらを一度に運ぶために、多数のタンクを運搬車両に搭載して運搬することを考えた。
【０００５】
ところで、タンクのそれぞれに吐出機構を取り付けることは現実的ではない。そこで複数のタンクで共通の吐出機構を使うことが考えられる。また、この吐出機構に計量機を設けて、供給量を計測することが考えられる。このようなシステムで潤滑油の量り売りをする際には、どの種類の潤滑油をいくら供給したのかを把握したい。
本発明は、潤滑油の量り売りに適した潤滑油販売システムを提供する。
【課題を解決するための手段】
【０００６】
上記目的を達成するために、本発明の潤滑油販売システムは、
複数種類の潤滑油が貯留された複数のタンクが搭載された運搬車両に搭載された販売ユニットと、前記販売ユニットと通信可能に接続されたメインサーバを含む潤滑油販売システムであって、
前記販売ユニットは、
複数の前記タンクのいずれか一つに着脱可能に接続され、前記タンクの潤滑油を吐出させる吐出機構と、
前記タンクからタンク識別情報を取得するタンク識別部と、
潤滑油の吐出量を計量する計量部と、
ネットワークを介して前記メインサーバに通信可能な制御部を有し、
前記制御部は、前記吐出機構に接続されている前記タンクの前記タンク識別情報と潤滑油の吐出量を前記メインサーバへ送信するように構成されている。
【発明の効果】
【０００７】
本発明によれば、潤滑油の量り売りに適した潤滑油販売システムが提供される。
【図面の簡単な説明】
【０００８】
【図１】本発明の実施形態に係る潤滑油販売システムの全体構成図である。
【図２】販売ユニットの概略図である。
【図３】潤滑油販売システムのブロック図である。
【図４】吸い上げ不可能な潤滑油が貯留タンクに残った様子を示す模式図である。
【発明を実施するための形態】
【０００９】
以下、本発明の実施形態について図面を参照しながら説明する。尚、実施形態の説明において既に説明された部材と同一の参照番号を有する部材については、説明の便宜上、その説明は省略する。
【００１０】
図１は、本発明の実施形態に係る潤滑油販売システム１の全体構成図である。図１に示したように、潤滑油販売システム１は、運搬車両２に搭載された貯留タンク３に貯留された潤滑油を量り売りするビジネスに用いられる。運搬車両２は、カーディーラー４、車両整備工場５、工場６などを回って潤滑油を販売する。あるいは、運搬車両２は、カーディーラー４、車両整備工場５、工場６からの注文を受けて、潤滑油を届ける。
【００１１】
これらカーディーラー４、車両整備工場５、工場６などには、潤滑油を保管する小型の保管タンク７が設置されている。
【００１２】
自動車に用いられるエンジンオイルやギヤオイルには、車種に適した多様なエンジンオイルやギヤオイルが求められ、また、ユーザの好みによってエンジンオイルやギヤオイルに様々なグレードが設定されていることもある。また、このため、カーディーラー４や車両整備工場５においては、多様なエンジンオイル、ギヤオイルが求められる。
また、工作機械が備えられた工場６においても、多様なオイルが求められる。旋盤に適したオイル、フライス盤に適したオイル、ボール盤に適したオイル、放電加工機に適したオイルなどがある。また、鋼の加工に適したオイル、銅の加工に適したオイルなど、加工材料によっても適したオイルがある。このため、工場６においても多様なオイルが求められる。
このように、顧客は多様な種類のオイルを求めている。
【００１３】
従来、顧客は、一般的に２００リットルが入るドラム缶か、あるいは一般的に２０リットルが入るペール缶を購入し、その中の潤滑油を保管タンク７に移し替えて使っている。保管タンク７の容量は通常５００〜２０００リットル程度であり、顧客は保管タンク７の残量を日々チェックし、発注タイミングを管理している。顧客は残量に余裕をもって潤滑油を発注するが、発注タイミングにより保管タンク７内の残量は逐次異なることから、その際に必要な潤滑油の数量も変化する。このような実情において、前述の通り、潤滑油の荷姿はドラム缶かペール缶が主流であることから、顧客の求める最適な数量を納入することは事実上不可能であり、ドラム缶単位では過剰であったり、ペール缶単位では少なすぎるなどの不都合が生じていた。
また、納入されたドラム缶やペール缶から保管タンク７に移し替える作業も負担になっていた。
【００１４】
潤滑油の販売者にとっては、上述したように顧客によって異なる潤滑油が求められているので、燃料油とは異なり、少量多品種の商材となっている。燃料油のようにタンクローリーで潤滑油を輸送してもメリットが生じにくく、潤滑油は燃料油の販売方法と異なる方法で販売することが望ましい。
【００１５】
このような背景から、本発明者は以下に詳述する潤滑油販売システム１を検討した。
図１に戻り、潤滑油販売システム１は、運搬車両２に搭載された販売ユニット１０と、販売ユニット１０とネットワークを介して通信可能に接続されたメインサーバ２０を含んでいる。
【００１６】
運搬車両２には、複数の貯留タンク３と、販売ユニット１０が搭載されている。複数の貯留タンク３には、それぞれ異なる種類の潤滑油が貯留されている。なお、全ての貯留タンク３に相異なる種類の潤滑油が貯留されていなくてもよい。いくつかの貯留タンク３には同じ種類の潤滑油が貯留されていてもよい。
【００１７】
なお、運搬車両２には、貯留タンク３としてドラム缶がそのまま搭載されていてもよい。ドラム缶がそのまま搭載されている場合には、運搬車両２の基地にてドラム缶から貯留タンク３へ潤滑油を移し替える作業が不要になる。
【００１８】
なお、潤滑油は、潤滑油を製造するメーカーが直接顧客へ販売する形態の他に、メーカーから卸売業者を介して顧客へ販売される形態がある。また、本実施形態に係る潤滑油販売システムを運営する会社は、メーカーであっても卸売業者であってもよい。メインサーバ２０を管理・運営する法人は、運搬車両２を所有する法人と同一であっても異なってもよい。また、販売員は卸売業の人員であってもよいし、メーカーの人員であってもよい。
【００１９】
（販売ユニット１０）
図２は販売ユニット１０の概略図である。図３は、潤滑油販売システム１のブロック図である。図２および図３に示したように、販売ユニット１０は、ノズルユニット３０と、ハンディ端末４０で構成されている。
販売ユニット１０は、吐出機構５１と、タンク識別部５２と、計量部５３と、制御部５４を備えている。
【００２０】
図２に示したように、吐出機構５１は、貯留タンク３に貯留された潤滑油を顧客の保管タンク７に移送する機構である。吐出機構５１は、貯留タンク３に取り付けられるアダプタ６１と、潤滑油を吐出するノズル６２と、アダプタ６１からノズル６２までを接続するホース６３と、貯留タンク３から潤滑油を吸い上げるポンプ６４とを備えている。複数の貯留タンク３には、アダプタ６１に適合する形状のジョイント９が設けられている。アダプタ６１は、このジョイント９を介して複数の貯留タンク３のいずれか一つに着脱可能に接続される。
【００２１】
貯留タンク３には、書き換え可能な記録部８が設けられている。記録部８には、各々の貯留タンク３を識別可能なタンクＩＤが記録されている。記録部８は、不揮発性メモリや揮発性メモリといった電子媒体であってもよいし、二次元バーコードなどが印刷されたシールなどの印刷物であってもよい。また、記録部８には、タンクＩＤの他に、貯留タンク３に貯留されている潤滑油の油種を示すタンク油種ＩＤが記録されていてもよい。
また、貯留タンクがドラム缶の場合には、記録部８は、タンクＩＤやタンク油種ＩＤ、満容量を示すバーコードが印刷されたシールを用いると簡便である。
【００２２】
タンク識別部５２は、貯留タンク３の記録部８から、タンクＩＤを読み取る装置である。タンク識別部５２は、識別したタンクＩＤを制御部５４に出力する。本実施形態において、タンク識別部５２は不揮発性のメモリであり、タンク識別部５２はジョイント９に設けられた端子に接続されている。タンク識別部５２がアダプタ６１に設けられており、アダプタ６１をジョイント９に取り付けると、制御部５４は自動的にタンクＩＤとタンク油種ＩＤを取得するように構成されている。
なお、タンク識別部５２は、電子媒体である記録部８から電子的にタンクＩＤを読み取る電子機器であってもよいし、印刷物である記録部８を読み取るバーコードリーダやスキャナであってもよい。
【００２３】
計量部５３は、潤滑油の吐出量を計測する装置である。計量部５３は、公知の流量測定器で構成することができる。計量部５３は、計測した吐出量を制御部５４に出力する。計量部５３は、体積の単位で吐出量を計測してもよいし、重量の単位で吐出量を計測してもよい。
【００２４】
制御部５４は、ネットワークを介してメインサーバ２０に通信可能である。制御部５４は、販売ユニット１０の他の部位やメインサーバ２０から出力される信号を取得し、また販売ユニット１０の他の部位やメインサーバ２０に向けて信号を出力する。制御部５４は、吐出機構５１に接続されている貯留タンク３のタンクＩＤと潤滑油の吐出量をメインサーバ２０へ送信するように構成されている。
【００２５】
さらに本実施形態において、販売ユニット１０は、図３に示したように、切替部５５、限界検出部５６、開始・終了検出部５７、表示部５８、印刷部５９、顧客油種取得部６０を備えている。
【００２６】
切替部５５は、潤滑油の吐出を課金モードで行わせるか、潤滑油の吐出を非課金モードで行わせるかを切替可能な部位である。切替部５５は、スイッチで構成することができる。切替部５５は、どちらのモードを実行中であるかを示す信号を、制御部５４に出力する。課金モードおよび非課金モードについては後に説明する。
【００２７】
印刷部５９は、少なくとも潤滑油の吐出量を印刷する機構である。印刷部５９には、公知の印刷機構を採用することができる。印刷部５９は、ハンディ端末４０に搭載することが好ましい。ノズルユニット３０に印刷部５９を設けた場合には、印刷物に潤滑油が付着してしまい、印刷物が汚れてしまう恐れがあるためである。
【００２８】
顧客油種取得部６０は、顧客の要求する潤滑油の油種を示す顧客油種ＩＤを取得する部位である。例えば、顧客油種取得部６０は、キーボードで構成することができる。顧客が要求する油種を示す文字や数字をキーボードで入力することができる。あるいは、顧客が無線通信、あるいは有線通信で顧客が要求する油種を示す情報を送信する場合には、制御部５４が顧客油種取得部６０を兼ねてもよい。あるいは、顧客がバーコードで顧客が要求する油種を示す情報を示す場合には、顧客油種取得部６０をスキャナで構成することができる。また、タンク識別部５２が顧客油種取得部６０を兼ねていてもよい。この場合には、タンク識別部５２は、タンク油種ＩＤと、顧客油種ＩＤとを区別可能に取得する。
【００２９】
また制御部５４は、顧客油種ＩＤとタンク油種ＩＤとを取得して両者を照合し、両者が合致したときに吐出機構５１に潤滑油を吐出可能にさせる。制御部５４は、顧客油種ＩＤとタンク油種ＩＤが合致すると判定するまでは、吐出機構５１に潤滑油を吐出させないように構成されている。
【００３０】
開始・終了検出部５７は、潤滑油の提供行為の開始を示す開始信号を制御部５４に出力し、潤滑油の提供行為の終了を示す終了信号を制御部５４に出力する。開始・終了検出部５７は、販売員によって操作可能なスイッチで構成することができる。
【００３１】
表示部５８は、タンク油種ＩＤや顧客油種ＩＤ、供給流量などの各種情報を表示させるディスプレイである。販売員は、表示部５８の表示を見ながら油種を確認し、作業を行うことができる。図２に示した例においては、表示部５８は、ハンディ端末４０に設けられているが、表示部５８はノズルユニット３０に設けられていてもよい。
【００３２】
（メインサーバ２０）
図３に示したように、メインサーバ２０は、販売ユニット１０と通信可能に接続されている。メインサーバ２０は、タンクデータベース７１と、販売数量データベース７２を記録している。販売数量データベース７２については後に詳しく説明する。
【００３３】
タンクデータベース７１には、タンクＩＤ、タンク油種ＩＤ、車両ＩＤ、残量が記録されている。車両ＩＤは、該貯留タンク３がどの運搬車両２に搭載されているかを示す識別情報である。残量は、該貯留タンク３の潤滑油の残量を示す。タンクデータベース７１を参照すると、どの貯留タンク３にどの油種の潤滑油が貯留されており、その貯留タンク３はどの運搬車両２に搭載されており、その貯留タンク３の残量がどのくらいであるかを把握することができる。
【００３４】
さらにメインサーバ２０は、販売実績管理サーバ７０に通信可能に接続されている。販売実績管理サーバ７０には、単価データベース７３と、売上データベース７４が記録されている。
【００３５】
単価データベース７３には、タンク油種ＩＤと、単価とが記録されている。単価データベース７３を参照することで、どの油種の単価がどのくらいであるかを把握することができる。なお、単価データベース７３はメインサーバ２０に記録されていてもよい。もっとも、単価は比較的よく変動するため、単価データベース７３はタンクデータベース７１とは別に管理されていることが好ましい。
【００３６】
販売ユニット１０の制御部５４が、タンクＩＤをメインサーバ２０へ出力するように構成してもよい。メインサーバ２０がタンクＩＤを制御部５４から取得すると、タンクデータベース７１を参照して該貯留タンク３に貯留されている潤滑油の油種を取得する。さらにメインサーバ２０は、単価データベース７３を参照して該当する油種の単価を取得し、制御部５４へ出力する。なお、制御部５４は、メインサーバ２０から単価を取得すると、課金モードでの吐出量に単価を乗じて請求額を算出し、印刷部５９に請求額を印刷させてもよい。
【００３７】
売上データベース７４には、取引ＩＤと、取引日時と、取引先と、タンク油種ＩＤと、売上高とが記録されている。取引ＩＤとは、個々の潤滑油の販売実績を識別可能にメインサーバ２０が付与した識別情報である。売上データベース７４を参照することにより、いつ、誰に、どの潤滑油を、どれだけの額を販売したのかを把握することができる。なお、売上データベース７４と単価データベース７３が共通のサーバに記録されていなくてもよい。
【００３８】
（販売手順）
上述のように構成される潤滑油販売システム１を使って、潤滑油は以下の手順により販売される。
【００３９】
まず、潤滑油の販売員が顧客の所まで運搬車両２を移動させる。次に販売員は、顧客が求める潤滑油の油種を把握する。販売員は、顧客油種取得部６０を使って、顧客の求める油種を取得し、該油種を示す顧客油種ＩＤを制御部５４に入力する。例えば販売員は、顧客油種取得部６０であるハンディ端末４０のキーボード６０を使って顧客油種ＩＤを取得する。また、販売員は、これから潤滑油を供給する顧客を示す顧客ＩＤをキーボード６０などの入力装置を使って制御部５４に入力する。
【００４０】
次に販売員は、顧客が求める油種が貯留された貯留タンク３のジョイント９に、ノズルユニット３０のアダプタ６１を取り付ける。本実施形態においては、アダプタ６１にタンク識別部５２が取り付けられており、アダプタ６１をジョイント９に取り付けたら自動的にタンクＩＤとタンク油種ＩＤが制御部５４に出力される。
【００４１】
次に、制御部５４は、メインサーバ２０へタンクＩＤを出力する。メインサーバ２０は、タンクＩＤを取得すると、タンクデータベース７１を参照して、取得したタンクＩＤに関連付けられたタンク油種ＩＤを制御部５４へ出力する。制御部５４は、取得した顧客油種ＩＤとタンク油種ＩＤとを比較する。制御部５４は、両者が一致する場合は、吐出機構５１のポンプ６４の作動を許可する。制御部５４は、両者が一致しない場合は、吐出機構５１のポンプ６４の作動を許可せず、表示部５８に警告を表示させる。販売員は、表示部５８に警告が表示された場合は、顧客油種ＩＤとタンク油種ＩＤとが一致するように、顧客が求める潤滑油が貯留された貯留タンク３にアダプタ６１を接続し直す。
【００４２】
販売員は、切替部５５を操作して非課金モードに設定する。販売員は、開始・終了検出部５７を操作して、潤滑油の販売の開始を示す開始信号を制御部５４に出力する。販売員は、非課金モードでノズルユニット３０のノズル６２を廃棄ドラムに入れ、貯留タンク３から潤滑油を吐出させる。
【００４３】
これは、ノズルユニット３０を顧客が求める潤滑油で洗浄するためである。本実施形態においては、運搬車両２には複数の貯留タンク３が搭載されているが、ノズルユニット３０は一つである。運搬車両２に複数のノズルユニット３０を搭載するのは不都合であるためである。ノズルユニット３０を複数の貯留タンク３で使いまわしするために、新たに潤滑油を吐出する際には、前回吐出した潤滑油がノズルユニット３０内に残留している。
【００４４】
そこで、ノズル６２から顧客が求める潤滑油をノズルユニット３０に通してノズルユニット３０を洗浄する。また、ノズルユニット３０を通した潤滑油は廃棄用ドラム缶に吐出させる。この際に吐出させる潤滑油は、顧客に請求することができないため、非課金モードで潤滑油を吐出させる。所定量の潤滑油を吐出させたら、あるいは、販売員の目視で洗浄が完了したと判断したら、ノズルユニット３０の洗浄が完了する。また、この時に吐出した潤滑油の流量を、計量部５３が計測し、非課金モードでの吐出量を制御部５４に出力する。
なお、切替部５５はデフォルトで非課金モードに設定されるように構成してもよい。この場合には、販売員による切替部５５の操作により非課金モードの設定工程を省略することができる。
【００４５】
販売員は、再び切替部５５を操作して課金モードに設定する。販売員は、この状態でノズル６２を顧客の保管タンク７に入れ、貯留タンク３から潤滑油を吐出させる。顧客の求める流量分、あるいは、保管タンク７が満タンになるまで貯留タンク３から潤滑油を吐出させる。また、計量部５３により吐出させた潤滑油の流量を計測する。顧客の求める数量の潤滑油を供給したら、販売員は、開始・終了検出部５７を操作して、潤滑油の提供行為が終了したことを示す終了信号を制御部５４に出力する。
販売員は、印刷部５９により潤滑油の油種および吐出量を印刷し、顧客に手渡す。
【００４６】
制御部５４は、開始・終了検出部５７から出力される開始信号を取得した時から終了信号を取得するまでの間の潤滑油の吐出量を、非課金モードでの吐出量と、課金モードでの吐出量とを区別可能に記録する。また、制御部５４は、顧客ＩＤ、タンクＩＤ、タンク油種ＩＤ（または顧客油種ＩＤ）、非課金モードでの吐出量、課金モードでの吐出量、運搬車両２を示す車両ＩＤなどといった情報をメインサーバ２０へ送信する。
【００４７】
メインサーバ２０は、顧客ＩＤ、タンクＩＤ、タンク油種ＩＤ、非課金モードでの吐出量、課金モードでの吐出量、車両ＩＤなどを取得すると、これら一群のデータに今回の取引を示す取引ＩＤを付与し、取引ＩＤと関連付けて各種データベースに記録する。以下にメインサーバ２０が実行する処理を説明する。
【００４８】
（売上処理）
メインサーバ２０は、取引ＩＤと、顧客ＩＤと、タンク油種ＩＤと、課金モードでの吐出量を売上データベース７４に記録する。また、単価データベース７３を参照して、顧客に提供した油種の単価を取得し、課金モードでの吐出量に該単価を乗じて売上金額を算出し、売上金額を売上データベース７４に記録する。
メインサーバ２０は、この売上データベース７４を使って請求書や納品書を発行することができる。
【００４９】
（在庫管理）
メインサーバ２０は、タンクＩＤ、非課金モードでの吐出量、課金モードでの吐出量を取得し、タンクデータベース７１の残量を更新する。タンクデータベース７１から更新前の残量を取得し、更新前の残量から非課金モードでの吐出量と課金モードでの吐出量の合計を減じて、最新の残量を算出し、これをタンクデータベース７１の残量として更新する。
【００５０】
このタンクデータベース７１を用いて、メインサーバ２０は、例えば残量が所定値を下回った場合には、車両ＩＤから該貯留タンク３を搭載している運搬車両２を特定し、運搬車両２へ該当する貯留タンク３へ新たな潤滑油を供給するための供給基地へ移動する指令を発するといったことができる。
【００５１】
（販売数量管理）
メインサーバ２０は、非課金モードでの吐出量、課金モードでの吐出量を取得し、これらを販売数量データベース７２に記録する。上述したように、販売工程の中で吐出した潤滑油には、顧客に請求できない分が含まれている。このため、メインサーバ２０は、顧客に請求できる吐出量と、顧客に請求できない吐出量とを販売数量データベース７２として記録している。
【００５２】
（吸い上げ限界処理）
なお、顧客に請求できない潤滑油の量としては、上述したノズルユニット３０の洗浄に用いた量の他に、貯留タンク３に残った吸い上げ不可能な量がある。
図４は、吸い上げ不可能な潤滑油が貯留タンク３に残った様子を示す模式図である。図４に示すように、潤滑油の供給時に、吐出機構５１のホース６３は貯留タンク３の内部まで挿入されている。しかしながら、ホース６３の先端が貯留タンク３の底面に届かず、ホース６３の先端と貯留タンク３の底面との間に隙間ができてしまうことがある。例えばホース６３の長さが貯留タンク３の深さより短い、運搬車両２が傾いている、吐出機構５１の運搬車両２への取り付け姿勢が傾いている、貯留タンク３の運搬車両２への取り付け姿勢が傾いているなどの要因によって、ホース６３の先端と貯留タンク３の底面との間に隙間ができてしまうことがある。あるいはホース６３が貯留タンク３の底面に届いている場合でも、ホース６３が空気とともに潤滑油を吸い込んでしまって、ポンプ６４がノズル６２まで吸い上げることができないこともある。このような場合、貯留タンク３に残った潤滑油を吐出機構５１が吸い上げることができない。
【００５３】
そこで本実施形態においては、図３に示したように、販売ユニット１０は、吐出機構５１が貯留タンク３から吸い上げが不可能になったことを検出して限界信号を制御部５４へ送信する限界検出部５６を備えている。吐出機構５１によって貯留タンク３から潤滑油を吸い上げる際には、貯留タンク３の底辺に残る少量の潤滑油は吸い上げることができないことがある。限界検出部５６は、このように潤滑油をこれ以上吸い上げることができないことを検出し、その結果を制御部５４へ出力する部位である。例えば、限界検出部５６は、ポンプ６４が空気を吸い込んでしまったことを検出したときに、限界信号を制御部５４へ出力するように構成されている。
【００５４】
貯留タンク３に残留したポンプ６４で吸い上げられない潤滑油の量（以降、吸い上げ限界量と呼ぶ）は、貯留タンク３の満容量から、限界検出部５６から限界信号を取得するまでに貯留タンク３から吐出した吐出量を減じることで算出することができる。
貯留タンク３として共通の大きさのタンクを用いている場合には、メインサーバ２０は、満容量は所定の値として扱うことができる。この場合には、メインサーバ２０は、販売ユニット１０から、限界検出部５６から限界信号を取得するまでに貯留タンク３から吐出した吐出量を取得すれば、吸い上げ限界量を算出することができる。
【００５５】
あるいは、貯留タンク３として異なる満容量の貯留タンク３を用いている場合には、タンクデータベース７１に各々の貯留タンク３の満容量を記憶しておけば、販売ユニット１０からタンクＩＤを取得し、タンクデータベース７１を参照して該当する貯留タンク３の満容量を取得することができる。
【００５６】
また、吸い上げ限界量は、販売ユニット１０の制御部５４が算出し、これをメインサーバ２０へ出力するような構成としてもよい。貯留タンク３の記録部８に、貯留タンク３の満容量が記録されていれば、制御部５４は該貯留タンク３の満容量を取得し、限界検出部５６から限界信号を取得するまでの吐出量を減じて吸い上げ限界量を算出することができる。
【００５７】
吸い上げ限界量は、顧客に請求できない量であるが、この量を把握しないと在庫を正確に把握できない。この吸い上げ限界量は、アダプタ６１の取り付け方や、運搬車両２の姿勢、貯留タンク３の運搬車両２への搭載姿勢などによって変動してしまう。このため、販売員が一々吸い上げ限界量を計測することは労力を要する。しかし、本実施形態に係る潤滑油販売システム１によれば、メインサーバ２０が販売ユニット１０から取得した情報に基づいて吸い上げ限界量を算出するので、販売員の労力が低減される。
なお、メインサーバ２０は、上述した販売数量データベース７２に、吸い上げ限界量も、非課金モードでの吐出量、課金モードでの吐出量と併せて記録する。
【００５８】
上述したように、本実施形態の潤滑油販売システム１は、
（１）複数種類の潤滑油が貯留された複数の貯留タンク３が搭載された運搬車両２に搭載された販売ユニット１０と、販売ユニット１０と通信可能に接続されたメインサーバ２０を含む潤滑油販売システム１であって、
販売ユニット１０は、
複数の貯留タンク３のいずれか一つに着脱可能に接続され、貯留タンク３の潤滑油を吐出させる吐出機構５１と、
貯留タンク３からタンクＩＤを取得するタンク識別部５２と、
潤滑油の吐出量を計量する計量部５３と、
ネットワークを介してメインサーバ２０に通信可能な制御部５４を有し、
制御部５４は、吐出機構５１に接続されている貯留タンク３のタンクＩＤと潤滑油の吐出量をメインサーバ２０へ送信するように構成されている。
【００５９】
運搬車両２には、ユーザの多種類の潤滑油が欲しいと言う要望に応えるために複数の貯留タンク３が搭載されている。このため、販売者はどの貯留タンク３にどの油種の潤滑油が貯留されているかを把握することが大変である。また、多種類の潤滑油のそれぞれの吐出量を計量することが大変である。
【００６０】
しかしながら、本実施形態の潤滑油販売システム１によれば、制御部５４からメインサーバ２０へ、顧客へ供給した貯留タンク３の識別情報と吐出量が出力される。このため、吐出機構５１を操作する販売者が、どの貯留タンク３から潤滑油を吐出させたか、および、その吐出量を的確に把握しなくても、潤滑油を販売することができる。このため、販売者の負担が軽減された本実施形態に係る潤滑油販売システム１は、潤滑油の量り売りに適している。
【００６１】
なお、少なくともタンクＩＤを取得していれば、顧客へ供給した潤滑油の油種を把握することができる。例えば、図３に示すように、メインサーバ２０に、少なくともタンクＩＤと、該貯留タンク３に貯留されている潤滑油の油種を示すタンク油種ＩＤを含むタンクデータベース７１が記録されていればよい。メインサーバ２０は、取得したタンクＩＤと、タンクデータベース７１を参照して、顧客に供給した潤滑油の油種を把握できる。
【００６２】
（２）また、本実施形態に係る潤滑油販売システム１は、
販売ユニット１０は、少なくとも潤滑油の吐出量を印刷する印刷部５９を備え、
メインサーバ２０は、複数の貯留タンク３と、各々の貯留タンク３に貯留されている潤滑油の油種と単価とを対応付けて記録しており、
制御部５４は、タンクＩＤをメインサーバ２０へ送信し、メインサーバ２０よりタンクＩＤが示す貯留タンク３が貯留している潤滑油の単価を取得し、
印刷部５９は、吐出量と単価に基づいて算出された請求額を印刷するように構成してもよい。
本実施形態によれば、販売員が販売現場で直接顧客に請求書を手渡すことができる。
【００６３】
（３）また、本実施形態に係る潤滑油販売システム１は、
メインサーバ２０は、複数の貯留タンク３と、各々の貯留タンク３に貯留されている潤滑油の油種とを対応付けて記録しており、
販売ユニット１０は、タンクＩＤをメインサーバ２０へ送信し、メインサーバ２０よりタンクＩＤが示す貯留タンク３が貯留している潤滑油の油種を示すタンク油種ＩＤを取得し、
制御部５４は、顧客の要求する潤滑油の油種を示す顧客油種ＩＤを取得し、顧客油種ＩＤとタンク油種ＩＤとを照合して両者が合致したときに吐出機構５１に潤滑油を吐出させるように構成してもよい。
【００６４】
本実施形態によれば、多品種を取り扱う潤滑油の量り売りにおいて、販売員が誤って、顧客が求める油種と異なる油種の潤滑油を顧客に提供することを抑制できる。
【００６５】
（４）また、本実施形態に係る潤滑油販売システム１は、
潤滑油の吐出を、課金モードで行わせるか、あるいは、非課金モードで行わせるかを切替可能な切替部５５を有し、
制御部５４は、課金モードにおける吐出量と、非課金モードにおける吐出量とを識別可能に、メインサーバ２０に送信するように構成してもよい。
【００６６】
潤滑油は多様な種類がある。種類の異なる潤滑油がそれぞれ異なる貯留タンク３に貯留されている。これらを一度に運ぶために、多数の貯留タンク３が運搬車両２に搭載されている。
ところで、貯留タンク３のそれぞれに吐出機構５１を取り付けることは現実的ではない。そこで複数の貯留タンク３で共通の吐出機構５１を使うことが考えられる。この際に、潤滑油Ａを供給した後に潤滑油Ｂを供給しようとする場合、吐出機構５１の中には潤滑油Ａが残留している。このため、潤滑油Ｂに潤滑油Ａが混入することを避けるために、潤滑油Ｂで吐出機構５１を洗浄したい。ところが、この吐出機構５１を洗浄するために吐出した分は、顧客に請求することができない。
本実施形態に係る潤滑油販売システム１によれば、メインサーバ２０は、課金モードでの吐出量と非課金モードでの吐出量とを取得することができるので、顧客に請求できる吐出量を正確に把握することができる。
【００６７】
（５）また、本実施形態の潤滑油販売システム１において、
タンク識別部５２は、貯留タンク３から貯留されている潤滑油の油種を示すタンク油種ＩＤを取得し、
制御部５４は、顧客の要求する潤滑油の油種を示す顧客油種ＩＤを取得し、顧客油種ＩＤとタンク油種ＩＤとを照合して両者が合致したときに吐出機構５１に潤滑油を吐出させるように構成されていてもよい。
【００６８】
本実施形態によれば、多品種を取り扱う潤滑油の量り売りにおいて、販売員が誤って、顧客が求める油種と異なる油種の潤滑油を顧客に提供することを抑制できる。
【００６９】
（６）また、本実施形態の潤滑油販売システム１において、
販売ユニット１０は、吐出機構５１が貯留タンク３から吸い上げが不可能になったことを検出して限界信号を制御部５４へ送信する限界検出部５６を有し、
制御部５４は、限界信号を取得すると、限界信号を取得するまでの総吐出量をメインサーバ２０へ送信し、
メインサーバ２０は、貯留タンク３の満容量から総吐出量を減じて吸い上げ限界量を算出し、非課金モードで供給された供給量と吸い上げ限界量との合計を課金不可能な量として記録し、課金モードで供給された供給量を課金可能な量として記録するように構成してもよい。
【００７０】
（７）また、本実施形態の潤滑油販売システム１において、
タンク識別部５２は、貯留タンク３の満容量を取得し、
販売ユニット１０は、吐出機構５１が貯留タンク３から吸い上げが不可能になったことを検出して限界信号を制御部５４へ送信する限界検出部５６を有し、
制御部５４は、貯留タンク３の満容量から限界信号を取得するまでの総吐出量を減じて算出される吸い上げ限界量をメインサーバ２０へ送信し、
メインサーバ２０は、非課金モードで供給された供給量と吸い上げ限界量との合計を課金不可能な量として記録し、課金モードで供給された供給量を課金可能な量として記録するように構成してもよい。
【００７１】
このような実施形態によれば、メインサーバ２０が販売ユニット１０から取得した情報に基づいて吸い上げ限界量を算出するので、販売員の労力が低減される。
【００７２】
以上、本発明の実施形態について説明をしたが、本発明の技術的範囲が本実施形態の説明によって限定的に解釈されるべきではないのは言うまでもない。本実施形態は単なる一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【００７３】
上述した説明において、販売員は販売現場で顧客から顧客の求める潤滑油の油種を聞く場合を説明したが、本発明はこれに限られない。例えば、メインサーバ２０が顧客から、顧客の求める潤滑油の油種を取得し、受注データベースに顧客ＩＤとともに顧客油種ＩＤを登録するように構成してもよい。この場合、メインサーバ２０は、運搬車両２の販売ユニット１０に顧客ＩＤと顧客油種ＩＤを送信しておくことにより、販売ユニット１０は販売現場で既に顧客油種ＩＤを取得していることになる。
【符号の説明】
【００７４】
１  潤滑油販売システム
２  運搬車両
３  貯留タンク
４  カーディーラー
５  車両整備工場
６  工場
７  保管タンク
８  記録部
９  ジョイント
１０  販売ユニット
２０  メインサーバ
３０  ノズルユニット
４０  ハンディ端末
５１  吐出機構
５２  タンク識別部
５３  計量部
５４  制御部
５５  切替部
５６  限界検出部
５７  開始・終了検出部
５８  表示部
５９  印刷部
６０  顧客油種取得部（キーボード）
６１  アダプタ
６２  ノズル
６３  ホース
６４  ポンプ
７０  販売実績管理サーバ
７１  タンクデータベース
７２  販売数量データベース
７３  単価データベース
７４  売上データベース
【図１】
2020126386.tif 000003
【図２】
2020126386.tif 000004
【図３】
2020126386.tif 000005
【図４】
2020126386.tif 000006